(57)【要約】【課題】  表示媒体の粒子帯電量を正確に検知して書き換えに必要な電圧を選択し、表示濃度に変動のないメモリ性のある表示媒体の表示駆動装置及び表示駆動方法を得ることが目的である。【解決手段】  画像表示装置１０は、表示媒体１２、制御手段１４、駆動電源１６、更新手段１８、電位差測定手段２０、検知用スイッチ２２、列電極駆動回路２４、行電極駆動回路２６、スイッチング素子２８、３０、及びノイズ低減手段３２を含んで構成されている。制御手段１４は、駆動電源１６を駆動後、一定期間経過後に表示媒体１２と駆動電源１６を接続する検知用スイッチ２２をオフした時に表示媒体１２に残留する電極間の電位差に応じて電極内の電圧に関して予め定められたパラメータを更新するよう更新手段１８に指示する。【選択図】          図１
2007052202.tif 000002
【特許請求の範囲】
【請求項１】
メモリ性のある表示媒体内の画素位置で対向するよう配置された電極対に電圧を印加する表示駆動装置であって、
画像を前記表示媒体に表示するために前記電極対に印加する駆動電圧及び前記表示媒体に表示された画像を消去するために前記電極対に印加する消去電圧を出力する駆動電源と、
前記表示媒体に対する測定要求を含む条件が成立したときに、前記表示媒体に所定の画像を表示させた後に前記電極対間に電圧が印加されていない状態で前記表示媒体に残留する前記電極対間の電位差を測定する電位差測定手段と、
測定した前記電位差に応じて前記電極対に印加する電圧に関する予め定められたパラメータを更新する更新手段と、
を備えた表示駆動装置。
【請求項２】
前記条件は、前記測定要求があり、かつ、
前記表示媒体の前回書き換え時からの経過時間が所定時間以上である場合か、  又は前記表示媒体が移動した場合か、又は前記表示媒体の周囲の温度が所定範囲外である場合か、又は前記表示媒体の表示濃度が所定範囲外である場合、
であることを特徴とする請求項１記載の表示駆動装置。
【請求項３】
前記パラメータが、
前記消去電圧の大きさ、前記駆動電圧の大きさ、前記消去電圧の電圧印加時間、前記駆動電圧の電圧印加時間、前記消去電圧の交流周波数、前記駆動電圧の交流周波数、前記消去電圧の電圧波形、及び前記駆動電圧の電圧波形の少なくとも１つである請求項１又は請求項２記載の表示駆動装置。
【請求項４】
メモリ性のある表示媒体の画像表示素子が複数の色に応じて帯電した絶縁性粒子であり、絶縁性の膜が塗布され前記表示媒体内に対向して配置された一対の電極基板間に前記粒子が封入された前記表示媒体内の画素位置で対向するよう配置された電極対に電圧を印加する表示駆動方法であって、
前記表示媒体に対する測定要求を含む条件が成立したときに、前記表示媒体に所定の画像を表示させた後に前記電極対間に電圧が印加されていない状態で前記表示媒体に残留する前記電極対間の電位差を測定し、
測定した前記電位差から前記表示媒体の粒子帯電量を導出し、
該粒子帯電量に応じて、前記電極対に印加する電圧に関する予め定められたパラメータを更新する表示駆動方法。
【請求項５】
前記条件は、前記測定要求があり、かつ、
前記表示媒体の前回書き換え時からの経過時間が所定時間以上である場合か、又は前記表示媒体が移動した場合か、又は前記表示媒体の周囲の温度が所定範囲外である場合か、又は前記表示媒体の表示濃度が所定範囲外である場合、
であることを特徴とする請求項４記載の表示駆動方法。
【請求項６】
前記パラメータが、
前記消去電圧の大きさ、前記駆動電圧の大きさ、前記消去電圧の電圧印加時間、前記駆動電圧の電圧印加時間、前記消去電圧の交流周波数、前記駆動電圧の交流周波数、前記消去電圧の電圧波形、及び前記駆動電圧の電圧波形の少なくとも１つである請求項４又は請求項５記載の表示駆動方法。
【発明の詳細な説明】
【技術分野】
【０００１】
本発明は、メモリ性のある表示媒体の表示駆動装置及び表示駆動方法に係り、より詳しくは、メモリ性のある表示媒体における画質異常の検知方法に関する。
【背景技術】
【０００２】
従来、所謂電子ペーパーと言われる繰り返し書き換えが可能なメモリ性のある画像表示媒体としては、着色粒子の回転（Twisting Ball Display）、電気泳動、サーマルリライタブル、メモリ性を有する液晶、エレクトロクロミー等の技術を用いたものが知られている。
【０００３】
これらの中で、粒子（トナー）を用いて表示する画像表示媒体として、帯電特性が異なる黒色粒子と白色粒子とが対向するシート間に封入された画像表示媒体が提案されている（特許文献１）。このような画像表示媒体は、シート間に電圧を印加して電界を形成させて粒子を移動させることにより、黒色粒子と白色粒子とのコントラストとして画像を表示させる。
【０００４】
このような粒子を用いたメモリ性のある画像表示媒体においては、表示を繰り返し書き換えることにより表示濃度が変化することがある。その原因の一つとして駆動電圧における閾値の変動があり、このような画像欠陥は限られた単体の粒子によるものではなく、画像全体の領域において駆動電圧と表示濃度の関係が変化することによる。
【０００５】
図７は駆動電圧と表示濃度の関係を示したものである。本来、駆動電圧を上げて濃度を濃くしていく場合にはＸＡＢＹの経路を辿り、駆動電圧を下げて濃度を薄くしていく場合にはＹＥＦＸの経路を辿るヒステリシス曲線を形成していたものが、粒子の劣化等により駆動電圧と表示濃度の関係が変化し、濃度を濃くしていく場合にはＸＣＤＹ、薄くしていく場合にはＹＧＨＸという経路に、ヒステリシス曲線が広がるという現象が生じる。
【０００６】
即ち、表示媒体の駆動電圧がａまでの範囲では白色のまま濃度が一定であり、ａを境に駆動電圧の増大に伴い濃度が濃くなり、ｂを超えると黒色で一定していたものが、粒子帯電量が変化し、表示濃度が変化する駆動電圧の閾値がａ及びｂからｃ及びｄに変わってしまう。これは逆に黒色から白色へ変化する場合にも同様の現象が起こり、その結果、白表示部がかぶったり、黒表示部が濃度低下する。このような現象を防止するには、書換えに必要な電圧を選択する必要がある。
【０００７】
選択的に電圧を印加する技術としては、電気輸送性の透明な表示基板と、これと微小間隙をもつ電荷輸送層を表層に有する媒体と電圧を印加可能な媒体の間に導電性粒子を封入し、選択的に電圧を印加することにより、媒体上に導電性粒子を選択的に付着させることにより画像を形成する画像形成方法及び前記基板間に電界を作用させて着色粒子を移動させ、画像を表示する書き換え可能な画像表示媒体が提案されている（特許文献２）。
【特許文献１】特開２００１−３１２２２５号公報
【特許文献２】特開２０００−３４７４８３号公報
【発明の開示】
【発明が解決しようとする課題】
【０００８】
しかしながら、電界による表示媒体の画像書き換えにおいて、書き換えに必要な最適な電圧を選択するには、表示媒体の粒子の電気的特性の把握が必要となるが、粒子単体の帯電量は極微量のため、それぞれを把握することが難しく誤差が大きいという問題点があった。
【０００９】
本発明は、上記問題点を解消するために成されたものであり、表示媒体の粒子帯電量を正確に検知して書き換えに必要な電圧の大きさ等のパラメータを選択し、表示濃度に変動のないメモリ性のある表示媒体の表示駆動装置及び表示駆動方法を得ることが目的である。
【課題を解決するための手段】
【００１０】
上記目的を達成するために、請求項１記載の表示駆動装置は、メモリ性のある表示媒体内の画素位置で対向するよう配置された電極対に電圧を印加する表示駆動装置であって、画像を前記表示媒体に表示するために前記電極対に印加する駆動電圧及び前記表示媒体に表示された画像を消去するために前記電極対に印加する消去電圧を出力する駆動電源と、前記表示媒体に対する測定要求を含む条件が成立したときに、前記表示媒体に所定の画像を表示させた後に前記電極対間に電圧が印加されていない状態で前記表示媒体に残留する前記電極対間の電位差を測定する電位差測定手段と、測定した前記電位差に応じて前記電極対に印加する電圧に関する予め定められたパラメータを更新する更新手段と、を備える。
【００１１】
この発明に係る表示駆動装置は、メモリ性のある表示媒体内の画素位置で対向するよう配置された電極対に電圧を印加する表示駆動装置であり、画像を表示媒体に表示するために電極対に印加する駆動電圧及び表示媒体に表示された画像を消去するために電極対に印加する消去電圧を出力する駆動電源を備えている。
【００１２】
電位差測定手段は、表示媒体に対する測定要求を含む条件が成立したときに、表示媒体に所定の画像を表示させた後に電極対間に電圧が印加されていない状態で表示媒体に残留する電極対間の電位差を測定する。この残留電圧と表示媒体の粒子帯電量との間に一意的な関係があることが実験で確認されている。
【００１３】
そこで、更新手段は、残留電圧から導出される帯電量をもとに書き換え等に必要な電圧に関して予め定められたパラメータを更新する。このように適切なパラメータによって表示の書き換え等を行うので濃度低下などの画像欠陥が生じるのを防ぐことができる。
【００１４】
尚、請求項２に記載したように、測定要求があり、かつ、前回書き換え時からの経過時間が所定時間以上である場合か、又は表示媒体が移動した場合か、又は表示媒体の周囲の温度が所定範囲外である場合か又は表示媒体の表示濃度が所定範囲外である場合に電位差測定を行うようにしてもよい。これにより、パラメータの更新による電圧の選択を適切なタイミングで行い、効率的に表示画像の欠陥を防ぐことができる。
【００１５】
また、請求項３に記載したように、本発明のパラメータは消去電圧の大きさ、駆動電圧の大きさ、消去電圧の電圧印加時間、駆動電圧の電圧印加時間、消去電圧の交流周波数、駆動電圧の交流周波数、消去電圧の電圧波形、及び前記駆動電圧の電圧波形の少なくとも１つとすることができる。
【００１６】
請求項４記載の発明は、メモリ性のある表示媒体の画像表示素子が複数の色に応じて帯電した絶縁性粒子であり、絶縁性の膜を塗布され前記表示媒体内に対向して配置された一対の電極基板間に前記粒子が封入された前記表示媒体内の画素位置で対向するよう配置された電極対に電圧を印加する表示駆動方法であって、  前記表示媒体に対する測定要求を含む条件が成立したときに、前記表示媒体に所定の画像を表示させた後に前記電極対間に電圧が印加されていない状態で前記表示媒体に残留する前記電極対間の電位差を測定し、測定した前記電位差から前記表示媒体の粒子帯電量を導出し、該粒子帯電量に応じて、前記電極対に印加する電圧に関する予め定められたパラメータを更新する、ことを特徴としている。
【００１７】
このような表示駆動方法によって画像表示媒体を駆動することにより、濃度低下などの画像欠陥が生じるのを防ぐことができる。
【００１８】
尚、請求項５に記載したように、測定要求があり、かつ、前回書き換え時からの経過時間が所定時間以上である場合か、又は表示媒体が移動した場合か、又は表示媒体の周囲の温度が所定範囲外である場合か又は表示媒体の表示濃度が所定範囲外である場合に電位差測定を行うようにしてもよい。
【００１９】
また、請求項６に記載したように、本発明のパラメータは消去電圧の大きさ、駆動電圧の大きさ、消去電圧の電圧印加時間、駆動電圧の電圧印加時間、消去電圧の交流周波数、駆動電圧の交流周波数、消去電圧の電圧波形、及び前記駆動電圧の電圧波形の少なくとも１つとすることができる。
【発明の効果】
【００２０】
以上説明したように、本発明によれば、メモリ性のある表示媒体で、表示書き換えを電界により行う表示駆動において、表示媒体の粒子の劣化などによる濃度低下などの画像欠陥を防止して良好に画像を表示することができる、という効果を有する。
【発明を実施するための最良の形態】
【００２１】
以下、図面を参照して本発明の実施形態を説明する。図１には、本実施形態に係る画像表示装置１０が示されている。
【００２２】
画像表示装置１０は、表示媒体１２、制御手段１４、駆動電源１６、更新手段１８、電位差測定手段２０、検知用スイッチ２２、列電極駆動回路２４、行電極駆動回路２６、スイッチング素子２８、３０、及びノイズ低減手段３２を含んで構成されている。
【００２３】
煩雑となるため図示してはいないが、制御手段１４と検知用スイッチ２２、制御手段１４と列電極駆動回路２４、制御手段１４と行電極駆動回路２６はそれぞれ接続されている。
【００２４】
図２に示すように、表示媒体１２は、透光性を有する表示側基板３４と、当該表示側基板３４と間隙を隔てて対向配置された背面側基板３６とを備えている。表面側基板３４と背面側基板３６との間隙は、間隙保持部材（図示しない）によって微小かつ一定の間隔に保持されており、この間隙には、互いに異なる帯電特性の黒粒子３８及び白粒子４０が封入されている（例えば、黒粒子３８が正、白粒子４０が負に帯電している）。
【００２５】
尚、黒粒子３８及び白粒子４０は、例えば絶縁性の粒子から成るが、これに限らず導電性の粒子を用いてもよい。黒粒子３８及び白粒子４０としては、例えば上記特許文献１に記載されたような種類の粒子を用いることができる。
【００２６】
また、表示側基板３４の背面側基板３６と対向する側の面には、第１の方向（図１及び図２の左右方向）に延びるライン状（帯状）の透明電極４２が、第１の方向と直交する第２の方向（図１の上下方向、図２の紙面に垂直な方向）に沿って複数並行に形成されている。また、背面側基板３６の表示側基板３４と対向する側の面には、第２の方向に延びるライン状の電極４４が、第１の方向に沿って複数並行に形成されている。このように、透明電極４２及び電極４４は、表示媒体１２を単純マトリクス方式で駆動可能に配置されている。
【００２７】
表示媒体１２を単純マトリクス方式で駆動した場合、透明電極４２と電極４４との交差位置が各々表示媒体１２の画素として機能し、各交差位置における透明電極４２と電極４４との間に印加される電圧によって発生する電界の大きさに応じて、各交差位置における黒粒子３８及び白粒子４０の移動、即ち、各交差位置における表示濃度が制御されることになる。尚、以下では透明電極４２を「行電極４２」、電極４４を「列電極４４」と称する。
【００２８】
駆動電源１６は、例えば単一の電源で複数種類の電圧を発生させるものであり、電源電圧を複数の分圧抵抗で分圧し、各々の分圧抵抗に対応して設けられた平滑用コンデンサによって安定した複数種類の電圧を発生させ、これらの電圧から所望の電位の電圧を選択して出力するような構成である。出力電圧は、列電極駆動回路２４及び行電極駆動回路２６に別々に出力される。電位の選択は制御手段１４の指示により行われる。
【００２９】
制御手段１４はＣＰＵを備えたコンピュータやＰＬＤ、ＦＰＧＡなど書き換え可能なプログラムにより出力を制御できる手段であり、駆動電源１６から供給される電力により作動し、駆動電源１６に対して出力電圧の選択を指示すると共に、画像情報を列電極駆動回路２４及び行電極駆動回路２６に出力する。これにより、画像情報に応じた電圧が行電極４２及び列電極４４に印加されて粒子が移動し、画像が表示される。
【００３０】
また、制御手段１４は、駆動電源１６を駆動後、一定期間経過後に表示媒体１２と駆動電源１６を接続する検知用スイッチ２２をオフした時に表示媒体１２に残留する電極間の電位差に応じて電極内の電圧に関して予め定められたパラメータを更新するよう更新手段１８に指示する。
【００３１】
列電極駆動回路２４は、表示媒体１２に設けられている列電極４４の数と同数のスイッチング素子２８を備えており、このスイッチング素子２８をオンオフさせることにより、列電極４４に対する駆動電源１６からの出力電圧の印加をオンオフする。
【００３２】
尚、図示はしていないが、列電極駆動回路２４の個々のスイッチング素子２８は制御手段１４及び個々の列電極４４と接続されており、制御手段１４から供給されたライン画像の画像情報に応じた制御信号によりオンオフされる。
【００３３】
また、行電極駆動回路２６は、表示媒体１２に設けられている行電極４２の数と同数のスイッチング素子３０を備えており、このスイッチング素子３０をオンオフさせることにより、行電極４２に対する駆動電源１６からの出力電圧の印加をオンオフする。
【００３４】
尚、図示はしていないが、行電極駆動回路２６の個々のスイッチング素子３０は制御手段１４及び個々の行電極４２と接続されており、例えば制御手段１４から供給された制御信号により１行目の行電極に対応したスイッチング素子から最終行の行電極に対応したスイッチング素子まで順次オンされることにより画像が書き換わる。
【００３５】
ノイズ低減手段３２は、制御手段１４と電位差測定手段２０の間に設置され、正確な電位差が求められるようにノイズを低減する。
【００３６】
次に、本実施形態における表示駆動装置の作用を、図３に示したフローチャートに沿って説明する。
【００３７】
最初にステップ１００で、メモリ性のある表示媒体の書き換え時に測定要求があった場合に、電位差の測定に始まる表示媒体の粒子帯電量の検知モードがスタートする。
【００３８】
ステップ１０２で、駆動電源１６を駆動して表示媒体１２に電圧を印加し、粒子帯電量を検知する部分（表示媒体全体）の画像を書き換える。
【００３９】
ステップ１０４では、一定時間経過後、表示媒体１２と駆動電源１６を接続している検知用スイッチ２２をオフする。これによって、表示媒体１２の画像表示状態をそのまま保持する。また、検知用スイッチ２２をオフすることにより表示媒体１２の粒子が浮き上がり、フロートの状態になることにより、微弱な電圧ではあるが粒子の帯電量に応じた電位差が発生する。
【００４０】
尚、一定時間経過後に検知用スイッチ２２をオフするのは、画像表示のための粒子の移動は瞬時には一定の時間を要するものであり、従って、粒子が表示媒体の一面分全部が移動できる時間の経過を待つ必要があることによる。
【００４１】
ステップ１０６では、この残留電圧を電位差測定手段２０により測定する。残留電圧の測定方法は、駆動電源１６による駆動後、一定時間経過後に検知用スイッチ２２をオフし、電源との切断を行う。切断後所定時間、例えば５秒から１０秒の間の５秒間の平均電位を求める。
【００４２】
この際、制御手段１４と電位差測定手段２０の間にノイズ低減手段３２を設置することによりノイズが低減され、より正確な値が求められる。具体的には、高周波成分の除去を行うローパス・フィルター及び商用電源からの誘導電圧が影響しないようにＶＣＣＩ対応のフェライトコアなどの磁気シールドを行うのが好ましい。
【００４３】
図５は、ここで得られた残留電圧と粒子帯電量との関係を示すグラフである。このように粒子帯電量と残留電圧は比例し、残留電圧が大きいと粒子帯電量の合計が大きくなることが新たに実験で確認された。一例を挙げれば、４２０ｍｍ×２９８ｍｍの大きさの粒子封入基板では、残留電圧０．３Ｖに対し、総電荷量４μＣの関係が成り立つ。
【００４４】
図６は、駆動電圧と粒子帯電量の関係を示すグラフである。帯電量がある値より大きいと粒子は隣接粒子との帯電量差による粒子同士間の凝集が発生し駆動できなくなり、帯電量が電界による移動ができる静電気力が発生しない。そのため、粒子が動くには適正な帯電量が存在し、より適正な帯電量であれば、より低い駆動電圧で粒子が駆動可能となる。
【００４５】
一例を挙げれば、帯電量が２〜１０μＣの範囲内にあれば粒子が移動可能であり、図５における残留電圧が１５０ｍＶ〜７５０ｍＶの範囲内にあれば駆動可能であることが確認されている。
【００４６】
ステップ１０８では、ステップ１０６で測定した残量電圧より表示媒体１２の粒子の帯電量を導出する。導出は制御手段１４によって、制御手段１４に接続された記憶手段（図示しない）に格納された帯電量導出用のテーブルに基づいて行う。このテーブルには、測定された残留電圧と該残留電圧に応じた帯電量との対応関係を表す情報が含まれている。但し、導出方法はこれに限定するものではなく、残留電圧から帯電量を求める換算式を定義し、これによって計算で求める方法もある。
【００４７】
ステップ１１０では、ステップ１０８で導出した帯電量に応じて印加する電圧に関して予め定められたパラメータを更新する。具体的には、ステップ１０８で求めた帯電量をもとにして、図６の帯電量と駆動電圧の関係から駆動電圧を導出して印加する電圧を変更する。駆動電圧の導出方法は、前述の帯電量導出の場合と同様にテーブルを利用するか又は換算式を定義することによって行う。
【００４８】
帯電量と駆動電圧の関係については、図７のＡである閾値が帯電量の変化に伴って変動する。しかし、図７のＡ値は図６の駆動電圧Ｖと一義な関係にあるが、図６に示すように駆動電圧は帯電量に対して一義な関係にない。そのため、図５のグラフに基づき残留電圧から把握した帯電量の値をもとに図６より駆動電圧を求める。
【００４９】
従って、図７における駆動電圧の閾値であるＡ値と図５の測定残留電圧との関係をフィードバックさせることにより制御が可能となる。
【００５０】
パラメータを更新するための具体的な方法としては、昇圧用アンプの入力電圧の自動調整により印加電圧の大きさを変更する方法、駆動回路のスイッチ（トランジスタ：図示しない）付与時間の変更による電圧印加時間を変更する方法、表示側及び裏面側に交互に電圧をして交流電圧を付与することによる交流周波数を変更する方法及び電源回路にて波形を作成して粒子の状態に応じて正弦波、三角波、矩形波及びその傾きや周波数を変更することによる電圧波形を変更する方法がある。
【００５１】
ステップ１１２では、パラメータ更新後の電圧印加方法によって表示内容を消去する。本願に係るメモリ性のある不揮発性の表示媒体では、画像を書き換える際には前の画像を表示したまま新たな画像を表示すると上書きになってしまうので、事前に前の表示内容を消去する必要がある。画像の消去時にも表示する時と同様に電圧を印加し、消去電圧に関してパラメータを更新することでも帯電量の変化に伴う画像欠陥の防止に効果がある。
【００５２】
ステップ１１４では、パラメータ更新後の電圧印加方法によって表示書き換えを行う。ステップ１１２で前の表示内容を消去しているので、ここでは新たに画像を表示することとなる。
【００５３】
図８はパラメータ更新後の駆動電圧と表示濃度の関係を示すグラフである。ここでは駆動開始電圧を調整しているので閾値Ａが変動せず、従って表示濃度が安定し、濃度低下などの画像欠陥が生じない。
【００５４】
図４は、もう一つの実施形態である駆動シーケンスを変更して上記処理を実施する場合のフローチャートである。ここでは測定要求に加えて一定の条件を満たす場合にのみ、上述の電位差測定からパラメータ変更までの処理を行い、条件を満たさない場合には通常の電位で表示書き換えを行うよう制御する。
【００５５】
ステップ１００で、メモリ性のある表示媒体の書き換え時に測定要求があった場合には、電位差の測定に始まる表示媒体の粒子帯電量の検知モードがスタートするための他の条件の成否を判定するためステップ２０２に進む。
【００５６】
ステップ２０２では、前回の書き換えから一定時間以上経過しているか否かを判断し、経過している場合にはステップ１０２に進み、経過していない場合にはステップ２０４に進む。例えば、前回の書き換えから１時間又は１日経過しているか否かを判断する。
【００５７】
経過時間の検知は、図９に示すように制御手段１４にタイマを装着し、時刻の記憶手段を設置し、書き換え終了時にタイマの出力時刻を記憶手段に書き込み、測定要求時にタイマの出力時刻と記憶手段から読み出した前回の書き換え時刻とを比較することにより行う。
【００５８】
ステップ２０４では、表示媒体の移動が行われたか否かを判断し、移動している場合にはステップ１０２に進み、移動していない場合にはステップ２０６に進む。
【００５９】
移動の有無の検知は、ピックアップ加速度センサなどの移動検知センサを搭載して電圧情報により検知結果を出力し、制御手段１４内の比較手段により一定電圧以上か否かで移動を検知する。若しくはＧＰＳなどの位置情報検知手段を用いて検知する方法もある。
【００６０】
ステップ２０６では、表示媒体の周囲の温度が所定範囲外である場合にはステップ１０２に進み、所定範囲内の場合にはステップ２０８に進む。
【００６１】
周囲の温度の検知は熱電体、赤外線センサなどの温度検知センサを制御手段１４に搭載することによって行う。
【００６２】
ステップ２０８では、濃度検知センサの検知範囲内で表示書き換えを行う。濃度の検知には表示媒体全体で書き換えを行う必要はなく、全体を書き換えることによる無駄を省くためである。
【００６３】
ステップ２１０では、濃度検知センサ上の濃度を検知する。表示濃度の検知は反射型光検知センサ（トナー濃度センサと同等）を制御手段１４に搭載することによって行い、濃度が所定範囲外である場合はステップ１０２に進み、所定範囲内の場合はステップ２１２に進む。
【００６４】
図１０には上記の検知手段（移動検知センサ、温度検知センサ、濃度検知センサ）の構成図を示す。いずれの検知手段も制御装置に検出手段を搭載する構成とする。また、設置場所は図１１に示すように表示媒体１２の画像領域を妨げないため、表示領域外に検出手段を設置することが好ましい。
【００６５】
ステップ２１２では、上述の一連の条件判断から駆動電圧の変更は不要であるので、通常の電位で画像の表示書き換えを行い、ステップ２１４では、書き換え終了時の時刻を記憶して終了する。
【００６６】
また、条件判断により駆動電圧の変更が必要と判断された場合は、前述のステップ１０２〜ステップ１１２の処理を行った後に、ステップ２１４で書き換え終了時の時刻を記憶して終了する。
【図面の簡単な説明】
【００６７】
【図１】画像表示装置の図である。
【図２】図１のＡ−Ａ線に沿った画像表示媒体の断面図である。
【図３】本実施形態に係る表示駆動処理の流れを示したフローチャート（その１）である。
【図４】本実施形態に係る表示駆動処理の流れを示したフローチャート（その２）である。
【図５】残留電圧と粒子帯電量の関係を示すグラフである。
【図６】駆動電圧と粒子帯電量の関係を示すグラフである。
【図７】駆動電圧と画像表示濃度の関係を示すグラフ（その１）である。
【図８】駆動電圧と画像表示濃度の関係を示すグラフ（その２）である。
【図９】検知手段（経過時間）の構成図である。
【図１０】検知手段（媒体移動、温度、濃度）の構成図である。
【図１１】検知手段の設置状態を示す図である。
【符号の説明】
【００６８】
１０  画像表示装置
１２  表示媒体
１４  制御手段
１６  駆動電源
１８  更新手段
２０  電位差測定手段
２２  検知用スイッチ
２４  列電極駆動回路
２６  行電極駆動回路
２８、３０  スイッチング素子
３２  ノイズ低減手段
３４  表示側基板
３６  背面側基板
３８  黒粒子
４０  白粒子
４２  行電極
４４  列電極
【図１】
2007052202.tif 000003
【図２】
2007052202.tif 000004
【図３】
2007052202.tif 000005
【図４】
2007052202.tif 000006
【図５】
2007052202.tif 000007
【図６】
2007052202.tif 000008
【図７】
2007052202.tif 000009
【図８】
2007052202.tif 000010
【図９】
2007052202.tif 000011
【図１０】
2007052202.tif 000012
【図１１】
2007052202.tif 000013